(57)【特許請求の範囲】
【請求項１】
船舶（Ｓ）を陸上に上架する際に用いる台車上架台（２）を、横取台車（１１）により横取りの所定位置まで牽引した縦取台車（３）から取り外し又は取り付ける際に用いる船舶用架台脱着装置（１）であって、
上部に台車上架台（２）を載せると共に、移動させる台車上架台用レール（９）と、該台車上架台用レール（９）を上下動させる昇降装置（８）と、下部に横取レール（Ｒ２）上を移動する車輪（４）が設けられた装置本体（５）と、
前記台車上架台用レール（９）の一端に、前記装置本体（５）の上部において突出するように形成された、縦取台車（３）上に載せられた台車上架台（２）の下方に差し込むチルトフォーク（６）と、
前記装置本体（５）に、前記台車上架台（２）を載せて約９０度下方へ回動転倒自在に取り付けられた転倒回動部材（７）と、
前記台車上架台用レール（９）のチルトフォーク（６）から前記転倒回動部材（７）の間を移動自在に取り付けられた、１又は複数の台車上架台（２）を載せる架台受台（１０）と、
前記装置本体（５）と前記転倒回動部材（７）の間に取り付けられた、前記転倒回動部材（７）を起立と転倒させる伸縮装置（１４）と、を備えた、ことを特徴とする船舶用架台脱着装置。
【請求項２】
前記台車上架台用レール（９）は、その転倒回動部材（７）側が支点になるように揺動自在に前記装置本体（５）に取り付けられ、該台車上架台用レール（９）のチルトフォーク（６）側に昇降装置（８）が該装置本体（５）に取り付けられた、ことを特徴とする請求項１に記載された船舶用架台脱着装置。
【請求項３】
前記転倒回動部材（７）の前記架台受台（１０）の底部を載せる面に、前記台車上架台用レール（９）から連続するように形成されたレール部分（１７）を設けた、ことを特徴とする請求項１又は２に記載された船舶用架台脱着装置。
【請求項４】
前記転倒回動部材（７）が約９０度下方へ回動転倒させた際に該転倒回動部材（７）の下部に、前記装置本体（５）が走行する横取レール（Ｒ２）上に走行する補助輪（７ｂ）が取り付けられた、ことを特徴とする請求項１、２又は３の何れか１項に記載された船舶用架台脱着装置。
【請求項５】
前記装置本体（５）に、横取レール（Ｒ２）上を走行する横取台車（１１）を連結する連結部材（１２）が設けられた、ことを特徴とする請求項１、２、３又は４の何れか１項に記載された船舶用架台脱着装置。
【請求項６】
前記架台受台（１０）は、複数の台車上架台（２）を載せた状態で、前記台車上架台用レール（９）上を円滑に移動できるように、該架台受台（１０）の下面に車輪または滑り材等の移動具材が取り付けられた、ことを特徴とする請求項１、２、３、４又は５の何れか１項に記載された船舶用架台脱着装置。
【請求項７】
船舶（Ｓ）を陸上に上架する際に用いる台車上架台（２）を、縦取台車（３）から取り外し又は取り付ける台車上架台の脱着方法であって、
上部に台車上架台（２）を載せると共に、移動させる長方形状の台車上架台用レール（９）と、該台車上架台用レール（９）を上下動させる昇降装置（８）と、下部に横取レール（Ｒ２）上を移動する車輪（４）が設けられた装置本体（５）と、該台車上架台用レール（９）の一端に、該装置本体（５）の上部において突出するように設けられた、縦取台車（３）上に載せられた台車上架台（２）の下部に差し込むチルトフォーク（６）と、該台車上架台用レール（９）のチルトフォーク（６）から、前記台車上架台（２）を載せて約９０度下方へ回動転倒させる転倒回動部材（７）の間を移動自在に取り付けられた、１又は複数の台車上架台（２）を載せる架台受台（１０）と、該台車上架台用レール（９）の他端に取り付けられた転倒回動部材（７）と、該装置本体（５）と該転倒回動部材（７）の間に取り付けられた、該転倒回動部材（７）を起立と転倒させる伸縮装置（１４）と、を備えた船舶用架台脱着装置（１）を用い、
前記船舶用架台脱着装置（１）を横取台車（１１）に接続すると同時に、前記チルトフォーク（６）が、縦取台車（３）上の台車上架台（２）を載せている架台受台（１０）の下部に差し込み、
次に、架台受台（１０）を前記チルトフォーク（６）から台車上架台用レール（９）を通って前記転倒回動部材（７）まで移動させ、該転倒回動部材（７）に台車上架台（２）を嵌め込み、
この状態で該転倒回動部材（７）を台車上架台（２）共に転倒させ、船底に接触することなく通過するように船舶用架台脱着装置（１）を横取レール（Ｒ２）上を移動させる、ことを特徴とする台車上架台の脱着方法。
【請求項８】
前記縦取台車（３）に載せられた台車上架台（２）を架台受台（１０）と共に取り外す際に、前記チルトフォーク（６）に設けた昇降装置（８）を上昇させて、該チルトフォーク（６）と台車上架台用レール（９）を傾斜させ、台車上架台（２）下面と縦取台車（３）との間に隙間を開け、該チルトフォーク（６）上の台車上架台（２）を抜き取る、ことを特徴とする請求項７に記載された台車上架台の脱着方法。
【請求項９】
船舶（Ｓ）を陸上に上架する際に用いる台車上架台（２）を、縦取台車（３）から取り外し又は取り付ける台車上架台の脱着方法であって、
上部に台車上架台（２）を載せると共に、移動させる長方形状の台車上架台用レール（９）と、該台車上架台用レール（９）を上下動させる昇降装置（８）と、下部に横取レール（Ｒ２）上を移動する車輪（４）が設けられた装置本体（５）と、該台車上架台用レール（９）の一端に、該装置本体（５）の上部において突出するように設けられた、縦取台車（３）上に載せられた台車上架台（２）の下部に差し込むチルトフォーク（６）と、該台車上架台用レール（９）のチルトフォーク（６）から、前記台車上架台（２）を載せて約９０度下方へ回動転倒させる転倒回動部材（７）の間を移動自在に取り付けられた、１又は複数の台車上架台（２）を載せる架台受台（１０）と、該台車上架台用レール（９）の他端に取り付けられた転倒回動部材（７）と、該装置本体（５）と該転倒回動部材（７）の間に取り付けられた、該転倒回動部材（７）を起立と転倒させる伸縮装置（１４）と、を備えた船舶用架台脱着装置（１）を用い、
前記船舶用架台脱着装置（１）の転倒回動部材（７）を転倒させ、該転倒回動部材（７）に台車上架台（２）を横向きに嵌め込み、
転倒回動部材（７）を転倒させた状態で、前記船舶用架台脱着装置（１）を縦取台車（３）の位置まで移動させ、その後転倒回動部材（７）を台車上架台（２）と共に起立させ、
次に、チルトフォーク（６）を、縦取台車（３）の上部まで移動させ、起立させた台車上架台（２）を、台車上架台用レール（９）上を移動させて縦取台車（３）上に載せ、
その後、台車上架台（２）からチルトフォーク（６）を抜き取り、前記船舶用架台脱着装置（１）を退出させる、ことを特徴とする台車上架台の脱着方法。
【発明の詳細な説明】
【技術分野】
【０００１】
本発明は、船舶の修理、船底に付着している海藻等の除去、船体保護用の塗装をする際に、更に冬期の流氷、港内結氷等から船体を保護するために陸上に船舶を上架するときに用いる船舶用架台脱着装置及びこれを用いた台車上架台の脱着方法に関する。
【背景技術】
【０００２】
船舶を陸上に上架する作業方法の一例について図１３から図１９に基づいて説明する。図示例はリフト式の船舶上架方法である。
（１）  水中において縦取台車に船体を載せる。
水中において、縦取レールＲ１に、台車上架台２を載せた縦取台車３を配置する。この縦取台車３の上部に船舶Ｓ（船体）を移動させる。
【０００３】
（２）  縦取台車に載せた船舶（船体）を、海面より陸上に引きあげる。
図１３（ａ）の船舶を牽引する状態に示すように、船舶Ｓを横取りする列に合わせて、位置決めストッパー５１を縦取レールＲ１の所定の位置へ取り付ける。縦取台車３を牽引する牽引ワイヤー５２をウインチで巻き取り牽引を始める。
図１３（ｂ）の位置決めストッパー５１の位置まで牽引した状態に示すように、縦取台車３の車輪が位置決めストッパー５１に接触するまで牽引する。縦取台車３が移動しないように海側にも位置決めストッパー５１を取り付け、縦取台車３を固定する。
【０００４】
（３）  縦取台車の真下に横取台車を入れる。
図１４の概略説明正面図に示すように、縦取台車３から牽引ワイヤー５２を外す。縦取台車３から位置決めピン５３を全て抜く。横取台車１１を、縦取台車３の真下へ入れ、位置決めストッパー５１に接触するまでずらす。横取台車１１が所定の位置にきたら、反対側も位置決めストッパー５１を取り付け横取台車１１を縦取台車３に固定する。横取台車１１に連結棒５５を取り付ける。横取台車１１と縦取台車３に位置決めピン５３を全て通して固定する。  
【０００５】
（４）  縦取台車の真下に横取台車を固定する（ジャッキアップ）。
船舶Ｓ（船体）と各横取台車１１の当たりが全面に等しく分散しているかを確認する。これは荷重が等しく分散していなければ横取台車１１に内蔵している油圧ジャッキに「曲げ」が作用する。油圧ジャッキに曲げ作用が大きくなればラムの破損となる恐れがある。
横取台車１１に装備してある電動ポンプで油を送り、船の左右のラムが８本とも同じ速度で上昇することを確認しながら縦取台車３ごと船を持ち上げ、縦取台車３の車輪の鍔ツバが横取レールＲ２をかわす高さまで持ち上げる。
【０００６】
（５）  縦取台車の真下に横取台車を固定する（マクラ金物）。
縦取台車３と横取台車１１の隙間に鋼製のマクラ金物を入れ、油圧ジャッキを下降させる。このことにより船体の荷重をマクラ金物で受けることになる。このとき、縦取台車３の全車輪の鍔が横取レールＲ２をかわす高さとなっていることを再度確認する。
【０００７】
（６）  横取列位置まで移動する。
図１５の縦取台車と横取台車の概略説明平面図に示すように、位置決めストッパー５１を外す。牽引ワイヤー５２を横取する列の根止めに取り付けられているスナッチブロックを介して横取台車１１に取り付ける。ウインチで牽引ワイヤー５２を巻き取り、縦取台車３ごと横取り所定位置まで牽引する。
【０００８】
（７）  船体を盤木に載せる。
図１６の横取台車をジャッキアップして盤木を船底に積み上げた状態を示す概略説明正面図に示すように、再度、横取台車１１に内蔵してある油圧ジャッキを上昇させる。必要な箇所へ地面から盤木５４等を積み重ね、矢等を使って船舶Ｓ（船体）の自重を盤木５４に伝える。
図１７の横取台車１１をジャッキを降下して（船体）の荷重が盤木５４にかかる状態を示す概略説明正面図に示すように油圧ジャッキを下降させて、船舶Ｓの自重を組み立てた盤木５４に全て移す。
【０００９】
（８）  台車上架台を取り外す。
図１８の概略説明側面図に示すように、船舶Ｓを横取台車１１を縦取レールＲ１位置に運び戻す際に、船舶Ｓを運び戻す反対側の取外し式台車上架台２と木製盤木５４を縦取台車３から取り外す。取り外さないと船底及びキールに引っ掛かり横取台車を運び戻せないためである。他にも縦取台車３上に船舶Ｓの船底及びキールと干渉するものがないか確認する。
横取台車１１の牽引ワイヤー５２を反対側に配置換えをする。縦取レールＲ１と横取レールＲ２の交差部ＲＣの位置決めストッパー５１に接触するまで牽引する。
【００１０】
（９）  上架作業の完了
図１９の縦取台車と横取台車の概略説明平面図に示すように、反対側にも位置決めストッパー５１を取り付け、横取台車１１を固定する。横取台車１１に内蔵している油圧ジャッキを下降させて、縦取台車３を縦取レールＲ１上に戻す。位置決めピン５３を抜いて、横取台車１１の連結棒５５を取り外す。位置決めストッパー５１を取り外し、縦取台車３の下部から横取台車１１を引き出す。縦取レールＲ１の位置決めストッパー５１を取り外す。以上の作業を繰り返し、上架作業は完了する。
【００１１】
（１０）  下架作業
下架作業は、上述した上架作業の行程をそのまま逆にした行程となる。
【００１２】
船舶の上架に関する技術は多数提案されている。例えば、特許文献１の特開昭５８−１４１９８９号「船舶上架装置」には、船体の要所底面を支持しうる受台の下方に、前後の車輪が、相互間に間隔を設けて装着されている縦取り台車と、縦取り台車の前後の車輪間において、その受台の下方へ進入することができるように形状及び寸法が定められ、左右方向の車輪付きの受台を備えるとともに、縦取り台車の受台の下方へ進入した状態において、該台車を持上げうるようにした昇降装置を備える横取り台車と、よりなる船舶上架装置が提案されている。
【先行技術文献】
【特許文献】
【００１３】
【特許文献１】特開昭５８−１４１９８９号公報
【発明の概要】
【発明が解決しようとする課題】
【００１４】
しかし、従来の船舶上架装置では、横取位置において、縦取台車３から台車上架台２を外す作業は人力による場合が多かった。また、小型船舶Sの場合は、台車上架台２が低い位置になるため、その取り付けと取り外しの際に、人が屈んだ不安定な体勢を強いられるという問題を有していた。
【００１５】
横取りされている船舶Ｓの隣に新たに船舶Ｓを横取りする際には、船舶Ｓの一側面は作業空間が確保できるが、隣に船舶Ｓが既に横取りされている側には十分な作業空間を取りづらいという問題を有していた。そのため取り外した台車上架台２の運搬が困難になることがあった。また、取り外した台車上架台２を運搬する際に、これを分解する作業に手間取ることがあった。
【００１６】
更に、縦取台車３には複数の台車上架台２を載せるため、運搬する際に台車上架台２の数毎の運搬作業が必要であった。そのために船舶Ｓの上架作業に長時間を要するという問題を有していた。
【００１７】
本発明は、かかる問題点を解決するために創案されたものである。すなわち、本発明の目的は、複数の台車上架台を一括して取り扱うことで、迅速に上架作業を進めると共に、台車上架台を転倒させて運搬することで、狭い作業空間、船底の下方の低い空間でも上架作業を円滑に行うことができる船舶用架台脱着装置及びこれを用いた台車上架台の脱着方法を提供することにある。
【課題を解決するための手段】
【００１８】
本発明の船舶用架台脱着装置（１）は、船舶（Ｓ）を陸上に上架する際に用いる台車上架台（２）を、横取台車（１１）により横取りの所定位置まで牽引した縦取台車（３）から取り外し又は取り付ける際に用いる船舶用架台脱着装置（１）であって、
上部に台車上架台（２）を載せると共に、移動させる台車上架台用レール（９）と、該台車上架台用レール（９）を上下動させる昇降装置（８）と、下部に横取レール（Ｒ２）上を移動する車輪（４）が設けられた装置本体（５）と、
前記台車上架台用レール（９）の一端に、前記装置本体（５）の上部において突出するように形成された、縦取台車（３）上に載せられた台車上架台（２）の下方に差し込むチルトフォーク（６）と、
前記装置本体（５）に、前記台車上架台（２）を載せて約９０度下方へ回動転倒自在に取り付けられた転倒回動部材（７）と、
前記台車上架台用レール（９）のチルトフォーク（６）から前記転倒回動部材（７）の間を移動自在に取り付けられた、１又は複数の台車上架台（２）を載せる架台受台（１０）と、
前記装置本体（５）と前記転倒回動部材（７）の間に取り付けられた、前記転倒回動部材（７）を起立と転倒させる伸縮装置（１４）と、を備えた、ことを特徴とする。
【００１９】
前記台車上架台用レール（９）は、その転倒回動部材（７）側が支点になるように揺動自在に前記装置本体（５）に取り付けられ、該台車上架台用レール（９）のチルトフォーク（６）側に昇降装置（８）が該装置本体（５）に取り付けられたものである。
前記転倒回動部材（７）の前記架台受台（１０）の底部を載せる面に、前記台車上架台用レール（９）から連続するように形成されたレール部分（１７）を設けたものである。
前記転倒回動部材（７）が約９０度下方へ回動転倒させた際に該転倒回動部材（７）の下部に、前記装置本体（５）が走行する横取レール（Ｒ２）上に走行する補助輪（７ｂ）を取り付けることが好ましい。
前記装置本体（５）に、横取レール（Ｒ２）上を走行する横取台車（１１）を連結する連結部材（１２）が設けられたものである。
前記架台受台（１０）は、複数の台車上架台（２）を載せた状態で、前記台車上架台用レール（９）上を円滑に移動できるように、該架台受台（１０）の下面に車輪または滑り材等の移動具材が取り付けられたものである。  
【００２０】
本発明の台車上架台の脱着方法は、船舶（Ｓ）を陸上に上架する際に用いる台車上架台（２）を、縦取台車（３）から取り外し又は取り付ける台車上架台の脱着方法であって、
上部に台車上架台（２）を載せると共に、移動させる長方形状の台車上架台用レール（９）と、該台車上架台用レール（９）を上下動させる昇降装置（８）と、下部に横取レール（Ｒ２）上を移動する車輪（４）が設けられた装置本体（５）と、該台車上架台用レール（９）の一端に、該装置本体（５）の上部において突出するように設けられた、縦取台車（３）上に載せられた台車上架台（２）の下部に差し込むチルトフォーク（６）と、該台車上架台用レール（９）のチルトフォーク（６）から、前記台車上架台（２）を載せて約９０度下方へ回動転倒させる転倒回動部材（７）の間を移動自在に取り付けられた、１又は複数の台車上架台（２）を載せる架台受台（１０）と、該台車上架台用レール（９）の他端に取り付けられた転倒回動部材（７）と、該装置本体（５）と該転倒回動部材（７）の間に取り付けられた、該転倒回動部材（７）を起立と転倒させる伸縮装置（１４）と、を備えた船舶用架台脱着装置（１）を用い、
前記船舶用架台脱着装置（１）を横取台車（１１）に接続すると同時に、前記チルトフォーク（６）が、縦取台車（３）上の台車上架台（２）を載せている架台受台（１０）の下部に差し込み、
次に、架台受台（１０）を前記チルトフォーク（６）から台車上架台用レール（９）を通って前記転倒回動部材（７）まで移動させ、該転倒回動部材（７）に台車上架台（２）を嵌め込み、
この状態で該転倒回動部材（７）を台車上架台（２）共に転倒させ、船底に接触することなく通過するように船舶用架台脱着装置（１）を横取レール（Ｒ２）上を移動させる、ことを特徴とする。
前記縦取台車（３）に載せられた台車上架台（２）を架台受台（１０）と共に取り外す際に、前記チルトフォーク（６）に設けた昇降装置（８）を上昇させて、該チルトフォーク（６）と台車上架台用レール（９）を傾斜させ、台車上架台（２）下面と縦取台車（３）との間に隙間を開け、該チルトフォーク（６）上の台車上架台（２）を抜き取ることができる。
【００２１】
また、本発明の台車上架台の脱着方法は、船舶（Ｓ）を陸上に上架する際に用いる台車上架台（２）を、縦取台車（３）から取り外し又は取り付ける台車上架台の脱着方法であって、
上部に台車上架台（２）を載せると共に、移動させる長方形状の台車上架台用レール（９）と、該台車上架台用レール（９）を上下動させる昇降装置（８）と、下部に横取レール（Ｒ２）上を移動する車輪（４）が設けられた装置本体（５）と、該台車上架台用レール（９）の一端に、該装置本体（５）の上部において突出するように設けられた、縦取台車（３）上に載せられた台車上架台（２）の下部に差し込むチルトフォーク（６）と、該台車上架台用レール（９）のチルトフォーク（６）から、前記台車上架台（２）を載せて約９０度下方へ回動転倒させる転倒回動部材（７）の間を移動自在に取り付けられた、１又は複数の台車上架台（２）を載せる架台受台（１０）と、該台車上架台用レール（９）の他端に取り付けられた転倒回動部材（７）と、該装置本体（５）と該転倒回動部材（７）の間に取り付けられた、該転倒回動部材（７）を起立と転倒させる伸縮装置（１４）と、を備えた船舶用架台脱着装置（１）を用い、
前記船舶用架台脱着装置（１）の転倒回動部材（７）を転倒させ、該転倒回動部材（７）に台車上架台（２）を横向きに嵌め込み、
転倒回動部材（７）を転倒させた状態で、前記船舶用架台脱着装置（１）を縦取台車（３）の位置まで移動させ、その後転倒回動部材（７）を台車上架台（２）と共に起立させ、
次に、チルトフォーク（６）を、縦取台車（３）の上部まで移動させ、起立させた台車上架台（２）を、台車上架台用レール（９）上を移動させて縦取台車（３）上に載せ、
その後、台車上架台（２）からチルトフォーク（６）を抜き取り、前記船舶用架台脱着装置（１）を退出させる、ことを特徴とする。
【発明の効果】
【００２２】
本発明の船舶用架台脱着装置（１）では、架台受台（１０）が複数の台車上架台（２）を載せることができるので、多数の台車上架台（２）について縦取台車（３）から同時に取り外し、又は取り付ける作業を短時間に終わらせることができる。
船舶用架台脱着装置（１）では、台車上架台（２）を縦取台車（３）から取り外す際と、取り付ける際にチルトフォーク（６）を利用するために、容易かつ安全に作業することができる。チルトフォーク（６）は昇降装置（８）の動作により自在に傾斜させることができるので、架台受台（１０）の高さに容易に合わせることができる。
【００２３】
転倒回動部材（７）は、台車上架台（２）を架台受台（１０）と共に転倒回動した状態で、船舶用架台脱着装置（１）を横取台車（１１）と縦取台車（３）と共に移動させる。このとき台車上架台（２）は転倒させているので、全高（Ｌ１）を低く抑えることができ、台車上架台（２）を分解することなく、船舶（Ｓ）のキール下を通ることができる。更に、上架用盤木（５４）の高さも抑えることが可能で船底の塗装作業などが容易になる。
【００２４】
本発明の台車上架台の脱着方法では、転倒回動部材（７）を用いて転倒収納することで船舶用架台脱着装置（１）の全高（Ｌ１）を低く抑えることができ、台車上架台（２）を分解せずに、船舶（Ｓ）のキール下を通ることができる。そこで、上架用盤木（５４）の高さも抑えることが可能で船底の塗装作業などが容易になる。船舶用架台脱着装置（１）は、横取台車（１１）と連結することで、転倒回動部材（７）の転倒時の負反力を受けることと併せ、縦取台車（３）から横取台車（１１）を引き抜く際の牽引も行うことができる。
【図面の簡単な説明】
【００２５】
【図１】本発明の船舶用架台脱着装置を示す正面図である。
【図２】本発明の船舶用架台脱着装置を示す平面図である。
【図３】本発明の船舶用架台脱着装置を示す左側面図であり、転倒回動部材のみを示している。
【図４】本発明の船舶用架台脱着装置を示す右側面図である。
【図５】転倒回動部材を転倒させた状態を示す正面図である。
【図６】船舶を横取する準備状態を示す船舶の概略説明平面図である。
【図７】横取りと上架の状態を示す船舶の概略説明平面図である。
【図８】船舶用架台脱着装置を横取台車に接続する状態を示し、（ａ）は船舶の概略説明平面図、（ｂ）は概略説明正面図である。
【図９】台車上架台の分離状態を示し、（ａ）は船舶の概略説明平面図、（ｂ）は概略説明正面図である。
【図１０】台車上架台を引き出す状態を示し、（ａ）は船舶の概略説明平面図、（ｂ）は概略説明正面図である。
【図１１】転倒回動部材を転倒させる状態を示し、（ａ）は船舶の概略説明平面図、（ｂ）は概略説明正面図である。
【図１２】転倒させた状態の台車上架台を船底で移動させる状態を示し、（ａ）は船舶の概略説明平面図、（ｂ）は概略説明正面図である。
【図１３】船舶と縦取台車の概略説明正面図を示し、（ａ）は船舶を牽引する状態、（ｂ）は位置決めストッパーの位置まで牽引した状態である。
【図１４】縦取台車に横取台車を固定する状態を示す概略説明正面図である。
【図１５】縦取台車に横取台車を固定する状態を示す概略説明平面図である。
【図１６】縦取台車と横取台車を示す概略説明正面図である。
【図１７】横取台車をジャッキアップして盤木を船底に積み上げた状態を示す概略説明正面図である。
【図１８】横取台車をジャッキを降下して船体の荷重が盤木にかかる状態を示す概略説明側面図である。
【図１９】縦取台車と横取台車から台車上架台を取り外す状態を示す概略説明平面図である。
【発明を実施するための形態】
【００２６】
本発明は、船舶の修理、船底に付着している海藻等の除去、船体保護用の塗装をする際に、更に冬期の流氷、港内結氷等から船体を保護するために陸上に船舶を上架する際に用いる台車上架台を、縦取台車から取り外し、又は取り付ける際に用いる船舶用架台脱着装置及びこれを用いた台車上架台の脱着方法である。
【実施例１】
【００２７】
＜船舶用架台脱着装置の全体構成＞
以下、本発明の好ましい実施の形態を図面を参照して説明する。
図１は本発明の船舶用架台脱着装置を示す正面図である。図２は本発明の船舶用架台脱着装置を示す平面図である。図３は本発明の船舶用架台脱着装置を示す左側面図であり、転倒回動部材のみを示している。図４は本発明の船舶用架台脱着装置を示す右側面図である。図１から図４は何れも転倒回動部材を上方に上げている状態を示している。
本発明の船舶用架台脱着装置１は、船舶Ｓを上架する際に用いる台車上架台２を、縦取台車３から取り外し、又は取り付ける際に用いる装置である。この船舶用架台脱着装置１は、主に横取レールＲ２上を移動する車輪４が設けられた装置本体５と、縦取台車３上に載せられた台車上架台２の下部に差し込むチルトフォーク６と、台車上架台２を載せて約９０度下方へ回動転倒させる転倒回動部材７と、この転倒回動部材７を起立と転倒させる伸縮装置１４と、を備えた装置である。
【００２８】
＜装置本体の構成＞
装置本体５は、図１の正面図と図２の平面図に示すように、略直方体形状に組み立てた略直方体形状のフレームの下部の４カ所に横取レールＲ２上を移動する車輪４が設けられた装置である。この略直方体形状のフレームの上部に台車上架台用レール９の他端は揺動自在に回動軸９ａで軸支されている。台車上架台用レール９は、台車上架台２を載せると共に、移動させるレールである。
【００２９】
図示例の台車上架台用レール９は２本のレールから成っている。この台車上架台用レール９の一部（図１の図示では右側の先端部分）が後述するチルトフォーク６になる。台車上架台用レール９は２本のレールの幅は、図２の平面図に示すように、横取レールＲ２上を移動する車輪４の幅より広い間隔を取っている。この２本のレール上において、後述する架台受台１０を移動させるためである。この架台受台１０には複数の台車上架台２を載せるので、横長になるためにそのバランスをとるためである。
更に、この台車上架台用レール９の他部は、転倒回動部材７を構成するレール部分７ａと連続するようになっている。
【００３０】
装置本体５には、横取台車１１を連結する連結ピンなどの連結部材１２が設けられている。本発明の船舶用架台脱着装置１を、横取台車１１に連結した状態で動作させるためである。図示例では、連結部材１２として連結ピンを示しているが、この連結ピンに限定されないことは勿論である。例えば、図示しないが一方に鉤状の部材を、他方にこの鉤状の部材が掛け止められる受け部材を設けた構成でも良い。
【００３１】
装置本体５に設けられた車輪４の両外側にアウトリガー１３が設けられている。船舶用架台脱着装置１の安定性を高めるためである。架台受台１０は複数の台車上架台２を載せた横長になり、そのバランスをとる必要があるからである。なお、このアウトリガー１３は、転倒回動部材７の近くに設けられている。この転倒回動部材７が回動動作中に装置本体５が揺れるのを防止するためである。
【００３２】
＜架台受台の構成＞
本発明の船舶用架台脱着装置１は、架台受台１０を備えている。この架台受台１０は、１又は複数の台車上架台２を載せる板状の受台である。図示例の架台受台１０は、４台の台車上架台２を並列して載せられる長さを有する板材１０ａと、この板材１０ａに周囲に枠板１０ｂを設けたものである。この枠板１０ｂにより台車上架台２が落下しないようになる。また板材１０ａの下面には、台車上架台用レール９上を走行するガイドローラ１５とサイドローラ１６を有する。架台受台１０は、このガイドローラ１５とサイドローラ１６により台車上架台用レール９から外れないようになっている。
【００３３】
この架台受台１０は、チルトフォーク６で取り外し、そのまま台車上架台用レール９上を走行する。更に、転倒回動部材７に構成されたレール部分１７上も走行するようになっている。そこで、縦取台車３に載せられていた台車上架台２を、チルトフォーク６から台車上架台用レール９上を通過させ、転倒回動部材７にまで移動させる。
【００３４】
更に、架台受台１０には、図示していないがその下面に車輪又は滑り材等の移動具材を取り付けることができる。この架台受台１０に複数の台車上架台２を載せると、その重量で台車上架台用レール９上を円滑に移動させることが困難になる場合があるからである。
【００３５】
＜チルトフォークの構成＞
台車上架台用レール９（チルトフォーク６）は、転倒回動部材７側が回動軸９ａの支点になるように揺動自在に装置本体５に取り付けられている。この台車上架台用レール９の一部がチルトフォーク６として機能する。チルトフォーク６を可動させるために、台車上架台用レール９の下部に昇降装置８が装置本体５に取り付けられている。昇降装置８は手動式、電動何れの形態でも良い。
【００３６】
昇降装置８の動作によりチルトフォーク６（台車上架台用レール９）を自在に傾斜させることができる。このチルトフォーク６は、文字通り縦取台車３上に載せられた台車上架台２を載せている架台受台１０の下部に差し込める。この差し込む際に、縦取台車３の高さに合わせるために、昇降装置８を作動させて、チルトフォーク６の傾斜角度を調節する。チルトフォーク６は台車上架台用レール９の一部であるため、そのまま台車上架台用レール９上において台車上架台２を架台受台１０と共に移動させることができる。
【００３７】
また、縦取台車３に載せている台車上架台２を、架台受台１０と共に移動させる際に、チルトフォーク６を下方へ傾斜させることで容易に移動させることができる。このときは図示していないが、架台受台１０の下面にコロ又は滑り軸受を用いることで、台車上架台用レール９上を円滑に移動させることができる。
【００３８】
＜転倒回動部材の構成＞
図５は転倒回動部材を転倒させた状態を示す正面図である。
転倒回動部材７は、台車上架台２と共に架台受台１０を載せて約９０度下方へ回動転倒自在に装置本体５に回動軸７aで軸支されている。この回動軸７aは、装置本体５の上部に取り付けられている。この転倒回動部材７は転倒状態にあるときは、そこに載せた架台受台１０と共に台車上架台２を転倒させ、台車上架台用レール９の上面の高さ（Ｌ１）と略同じ高さにすることができる。船舶Ｓの船底を容易に通過させることができるようになる。台車上架台用レール９に載せられた状態の台車上架台２の上面の高さ（Ｌ２）と比較すると約１／２程度の高さになる。
【００３９】
転倒回動部材７は、一面が架台受台１０の底部を載せる部分になり、これに連続して同じく架台受台１０に載せた台車上架台２の側面が当たる部分が形成された枠体で構成されている。図示例では略四角形状のフレームを組み合わせた枠体に架台受台１０を横長状態で載せるようになっている。
【００４０】
転倒回動部材７には、図１の正面図と図２の平面図に示すように、台車上架台用レール９から連続するように、レール部分１７が形成されている。このレール部分１７には架台受台１０のガイドローラ１５とサイドローラ１６が転がるようになっている。台車上架台２を載せた架台受台１０を円滑に転倒回動部材７に嵌め込める。
【００４１】
転倒回動部材７は、起立と転倒させる動作は、台車上架台２の側面が当たる部分と装置本体５側に取り付けた電動シリンダー等の伸縮装置１４により行う。即ち、転倒回動部材７に載せた台車上架台２を「起立」状態にしたいときは、伸縮装置１４を伸長させる。逆に、台車上架台２を「転倒」状態にしたいときは、伸縮装置１４を収縮させる。
【００４２】
転倒回動部材７には、約９０度下方へ回動転倒させた際に転倒回動部材７の下部に、装置本体５が走行する横取レールＲ２上に走行する補助輪７ｂが取り付けられている。この補助輪７ｂにより、転倒回動部材７に台車上架台２が載せられた状態で船舶用架台脱着装置１を横取台車１１と共に横取レールＲ２を円滑にかつ安全に走行させることができる。
【００４３】
＜台車上架台の脱着方法の構成＞
図６は船舶を横取する準備状態を示す船舶の概略説明平面図である。図７は横取りと上架の状態を示す船舶の概略説明平面図である。図８は船舶用架台脱着装置を横取台車に接続する状態を示し、（ａ）は船舶の概略説明平面図、（ｂ）は概略説明正面図である。図９は台車上架台の分離状態を示し、（ａ）は船舶の概略説明平面図、（ｂ）は概略説明正面図である。図１０は台車上架台を引き出す状態を示し、（ａ）は船舶の概略説明平面図、（ｂ）は概略説明正面図である。図１１は転倒回動部材を転倒させる状態を示し、（ａ）は船舶の概略説明平面図、（ｂ）は概略説明正面図である。図１２は転倒させた状態の台車上架台を船底で移動させる状態を示し、（ａ）は船舶の概略説明平面図、（ｂ）は概略説明正面図である。
本発明の船舶用架台脱着装置１を用いて、船舶Ｓを陸上に上架する際に用いる台車上架台２を、縦取台車３から取り外す作業は、次のような順序で行う。
（１）  横取の準備
図６に示すように、船舶Ｓの横取りをする位置に、本発明の船舶用架台脱着装置１を上架位置で待機させる。海中から船舶Ｓを縦取台車３上の台車上架台２に載せて縦取レールＲ１と横取レールＲ２の交差部まで牽引する。この交差部の位置において横取台車１１と縦取台車３を船舶の両側からそれぞれ取り付ける。
【００４４】
（２）  横取りと上架
図７に示すように、船舶Ｓを上架位置まで横取台車１１で移動させる。船舶Ｓをジャッキアップさせ、船底と地面の間に上架用盤木５４を積み、その後、ジャッキダウンし、船舶Ｓの荷重を上架用盤木５４に掛ける。このとき、上架用盤木５４の上端面は、横取台車１１と縦取台車３に載せられた台車上架台２の上端面より高い位置にする。
【００４５】
（３）  船舶用架台脱着装置を横取台車に接続
図８（ａ）と（ｂ）に示すように、本発明の船舶用架台脱着装置１を横取台車１１に、連結部材１２を用いて接続する。同時にチルトフォーク６を、縦取台車３に載せられている台車上架台２（架台受台１０）の下部に差し込む。
【００４６】
（４）  台車上架台の分離
図９に示すように、このとき必要に応じてチルトフォーク６を上方へ傾斜させると台車上架台２（架台受台１０）の下部と縦取台車３との間に隙間ができる。これで縦取台車３と台車上架台２とを分離することができる。
【００４７】
（５）  台車上架台の引き出し
図１０に示すように、チルトフォーク６を台車上架台用レール９を通って転倒回動部材７まで移動させる。このとき架台受台１０のその下面にガイドローラ１５とサイドローラ１６がレール上を転がるので円滑に移動させることができる。転倒回動部材７においてもレール部分１７に架台受台１０のガイドローラ１５とサイドローラ１６が嵌め込まれた状態にあるため、架台受台１０は転倒回動部材７から外れづらくなっている。
【００４８】
（６）  転倒回動部材の転倒
図１１に示すように、台車上架台２をチルトフォーク６から台車上架台用レール９を通って転倒回動部材７まで移動させる。転倒回動部材７に台車上架台２を架台受台１０と共に嵌め込む。
【００４９】
（７）  転倒させた状態の台車上架台を船底で移動
図１２に示すように、転倒回動部材７で台車上架台２を架台受台１０と共に転倒回動した状態で、船舶用架台脱着装置１を横取台車１１と縦取台車３と共に移動させる。このとき台車上架台２は転倒させているので、図５に示したように、全高（Ｌ１）を低く抑えることができ、台車上架台２を分解することなく、船舶Ｓの船体中心線に沿って船底を船首から船尾まで貫通するキール（竜甲）下を通ることができる。更に、上架用盤木５４の高さも抑えることが可能で船底の塗装作業などが容易になる。
【００５０】
船舶用架台脱着装置１は、横取台車１１と連結しているので、転倒回動部材７の回動転倒時の負反力を受けることと併せ、縦取台車３を引き抜く際の牽引も行う。転倒回動部材７の転倒時、台車上架台２の荷重は補助輪７ｂを通し横取レールＲ２に伝えることで安定化する。
【００５１】
なお、本発明は、複数の台車上架台２を一括して取り扱うことで、迅速に上架作業を進めると共に、台車上架台２を転倒回動部材７で転倒させて運搬することで、狭い作業空間、船舶Ｓの船底の下方の低い空間でも上架作業を円滑に行うことができる構成であれば、上述した発明の実施の形態に限定されず、本発明の要旨を逸脱しない範囲で種々変更できることは勿論である。
【産業上の利用可能性】
【００５２】
本発明の船舶用架台脱着装置及びこれを用いた台車上架台の脱着方法は、漁船、小型船舶を上架する際に利用できる。
【符号の説明】
【００５３】
１  船舶用架台脱着装置
２  台車上架台
３  縦取台車
４  車輪
５  装置本体
６  チルトフォーク
７  転倒回動部材
７ｂ  転倒回動部材の補助輪
８  昇降装置
９  台車上架台用レール
１０  架台受台
１１  横取台車
１２  連結部材
１４  伸縮装置
Ｒ１  縦取レール
Ｒ２  横取レール
【要約】
【課題】複数の台車上架台を一括して取り扱うことで、迅速に上架作業を進めると共に、台車上架台を転倒させて運搬することで、狭い作業空間、船底の下方の低い空間でも上架作業を円滑に行う。
【解決手段】台車上架台２を載せる台車上架台用レール９と、これを上下動させる昇降装置８と、下部に車輪４が設けられた装置本体５と、装置本体５の上部において突出するように形成された、台車上架台２の下方に差し込むチルトフォーク６と、台車上架台２を約９０度下方へ回動転倒させる転倒回動部材７と、チルトフォーク６から転倒回動部材７の間を移動自在に取り付けられた、複数の台車上架台２を載せる架台受台１０と、この転倒回動部材７を起立と転倒させる伸縮装置１４とを備えた。
【選択図】図１【図１】
0006930779.tif 000002
【図２】
0006930779.tif 000003
【図３】
0006930779.tif 000004
【図４】
0006930779.tif 000005
【図５】
0006930779.tif 000006
【図６】
0006930779.tif 000007
【図７】
0006930779.tif 000008
【図８】
0006930779.tif 000009
【図９】
0006930779.tif 000010
【図１０】
0006930779.tif 000011
【図１１】
0006930779.tif 000012
【図１２】
0006930779.tif 000013
【図１３】
0006930779.tif 000014
【図１４】
0006930779.tif 000015
【図１５】
0006930779.tif 000016
【図１６】
0006930779.tif 000017
【図１７】
0006930779.tif 000018
【図１８】
0006930779.tif 000019
【図１９】
0006930779.tif 000020